【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を備えることを特徴とする通信装置。
【請求項２】  前記通信手段はローカルエリアネットワーク若しくは、インターネットを用いることを特徴とする請求項１に記載の通信装置。
【請求項３】  前記記憶手段に記憶されている装置設定情報の中から前記装置設定情報の消去を行うための装置設定情報消去条件に従い、前記記憶手段に記憶された一つ若しくは複数の装置設定情報は消去されることを特徴とする請求項１に記載の通信装置。
【請求項４】  前記装置設定情報消去条件は前記選択手段により装置設定情報が選択されたか否かとすることを特徴とする請求項３に記載の通信装置。
【請求項５】  前記記憶手段に記憶された後に任意の装置設定情報記録時間が経過したか否かを前記装置設定情報消去条件とすることを特徴とする請求項３に記載の通信装置。
【請求項６】  前記装置設定情報は、前記通信手段が、該装置設定情報を受信した日時、受信したシリアル番号、該装置設定情報を送信したオペレータ名、オペレータＩＤ、設定時のコメント情報、前記装置設定情報の送信を行った他装置のネットワークアドレスのいずれか一つ若しくはその複数を含むことを特徴とする請求項１に記載の通信装置。
【請求項７】  前記表示手段は、前記装置設定情報に含まれる項目に従い装置設定情報をソートして表示することを特徴とする請求項１に記載の通信装置。
【請求項８】  前記通信手段は通信回線を介して接続されている他装置に対して、前記装置設定情報に含まれるネットワークアドレスに従って情報の送信を行う機能を有し、
前記通信手段により受信された前記装置設定情報の選択により、前記通信装置が動作した際に、
前記通信手段は、当該通信装置が動作したことを前記通信回線を介して前記装置設定情報に含まれるネットワークアドレスを有する他装置に通知することを特徴とする請求項６に記載の通信装置。
【請求項９】  前記通信手段は前記装置設定情報を電子メールによって送信することを特徴とする請求項８に記載の通信装置。
【請求項１０】  装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する請求項１に記載の通信装置と、
を有することを特徴とする通信システム。
【請求項１１】  前記入力手段はキーボード又はポインティングデバイス、若しくはその両方を用いることを特徴とする請求項１０に記載の通信システム。
【請求項１２】  前記他装置はコンピュータ端末を含むことを特徴とする請求項１０に記載の通信システム。
【請求項１３】  一つ若しくは複数の外部画像入力手段と、
通信回線を介して接続されている他装置より送信される、装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を有することを特徴とする画像入力装置。
【請求項１４】  前記複数の外部画像入力手段には、光学的画像読み取り装置、コンピュータインターフェース装置、外部記憶装置、外部通信装置のいずれかが含まれることを特徴とする請求項１３に記載の画像入力装置。
【請求項１５】  前記装置設定情報は、画像の入力に関する装置の機能及び操作上の設定を含むことを特徴とする請求項１３に記載の画像入力装置。
【請求項１６】  前記通信手段はローカルエリアネットワーク若しくは、インターネットを用いることを特徴とする請求項１３に記載の画像入力装置。
【請求項１７】  前記記憶手段に記憶されている装置設定情報の中から前記装置設定情報の消去を行うための装置設定情報消去条件に従い、前記記憶手段に記憶された一つ若しくは複数の装置設定情報は消去されることを特徴とする請求項１３に記載の画像入力装置。
【請求項１８】  前記装置設定情報消去条件は前記選択手段により装置設定情報が選択されたか否かとすることを特徴とする請求項１７に記載の画像入力装置。
【請求項１９】  前記記憶手段に記憶された後に任意の装置設定情報記録時間が経過したか否かを前記装置設定情報消去条件とすることを特徴とする請求項１７に記載の画像入力装置。
【請求項２０】  前記装置設定情報は、前記通信手段が、該装置設定情報を受信した日時、受信したシリアル番号、前記装置設定情報を送信したオペレータ名、オペレータＩＤ、設定時のコメント情報、前記装置設定情報の送信を行った他装置のネットワークアドレスの少なくともいずれか一つを含むことを特徴とする請求項１３に記載の画像入力装置。
【請求項２１】  前記表示手段は、前記装置設定情報に含まれる項目に従い装置設定情報をソートして表示することを特徴とする請求項１３に記載の画像入力装置。
【請求項２２】  前記通信手段は通信回線を介して接続されている他装置に対して、前記装置設定情報に含まれるネットワークアドレスに従って情報の送信を行う機能を有し、
前記通信手段により受信された前記装置設定情報の選択により、前記画像入力装置が動作をした際に、
前記通信手段は、送信された前記装置設定情報により前記画像入力装置が動作したことを前記通信回線を介して前記装置設定情報に含まれるネットワークアドレスを有する他装置に通知することを特徴とする請求項２０に記載の画像入力装置。
【請求項２３】  前記通信手段は前記装置設定情報を電子メールによって送信することを特徴とする請求項２２に記載の画像入力装置。
【請求項２４】  前記通信手段は通信回線を介して接続されている他装置に対して、前記装置設定情報に含まれるネットワークアドレスに従って情報の送信を行う機能を有し、
前記通信手段により受信された前記装置設定情報の選択による設定に従い画像入力動作を行った際に、前記通信手段は、入力された画像を通信回線を介して、前記装置設定情報に含まれるネットワークアドレスをを有する他装置に自動的に送信することを特徴とする請求項２０に記載の画像入力装置。
【請求項２５】  装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する請求項１３に記載の画像入力装置と、
を有することを特徴とする画像入力システム。
【請求項２６】  前記入力手段はキーボード又はポインティングデバイス、若しくはその両方が含まれることを特徴とする請求項２５に記載の画像入力システム。
【請求項２７】  前記他装置はコンピュータ端末を含むことを特徴とする請求項２５に記載の画像入力システム。
【請求項２８】  一つ若しくは複数の外部画像入力手段と、
前記外部画像入力手段により入力された画像を出力する一つ若しくは複数の外部画像情報出力手段と、
通信回線を介して接続されている他装置より送信される、装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を有することを特徴とする画像形成装置。
【請求項２９】  前記複数の外部画像入力手段には、光学的画像読み取り装置、コンピュータインターフェース装置、外部記憶装置、外部通信装置のいずれかが含まれることを特徴とする請求項２８に記載の画像形成装置。
【請求項３０】  前記複数の外部画像出力手段には、画像印刷装置、コンピュータインターフェース装置、外部記憶装置、外部通信装置、のいずれかが含まれることを特徴とする請求項２８に記載の画像形成装置。
【請求項３１】  前記装置設定情報は、画像の入力及び出力に関する装置の機能及び操作上の設定を含むことを特徴とする請求項２８に記載の画像形成装置。
【請求項３２】  前記通信手段はローカルエリアネットワーク若しくは、インターネットを用いることを特徴とする請求項２８に記載の画像形成装置。
【請求項３３】  前記記憶手段に記憶されている複数の装置設定情報の中から前記装置設定情報の消去を行うための装置設定情報消去条件に従い、前記記憶手段に記憶された一つ若しくは複数の装置設定情報は消去されることを特徴とする請求項２８に記載の画像形成装置。
【請求項３４】  前記装置設定情報消去条件は前記選択手段により装置設定情報が選択されたか否かとすることを特徴とする請求項３３に記載の画像形成装置。
【請求項３５】  前記記憶手段に記憶された後に任意の装置設定情報記録時間が経過したか否かを前記装置設定情報消去条件とすることを特徴とする請求項３３に記載の画像形成装置。
【請求項３６】  前記装置設定情報は、前記通信手段が、該装置設定情報を受信した日時、受信したシリアル番号、前記装置設定情報を送信したオペレータ名、オペレータＩＤ、設定時のコメント情報、前記装置設定情報の送信を行った他装置のネットワークアドレスの少なくともいずれか一つを含むことを特徴とする請求項２８に記載の画像形成装置。
【請求項３７】  前記表示手段は、前記装置設定情報に含まれる項目に従い装置設定情報をソートして表示することを特徴とする請求項２８に記載の画像形成装置。
【請求項３８】  前記通信手段は通信回線を介して接続されている他装置に対して、前記装置設定情報に含まれるネットワークアドレスに従って情報の送信を行う機能を有し、
前記通信手段により受信された前記装置設定情報の選択により、前記画像形成装置の機能及び操作上の設定を行った際に、
前記通信手段は、送信された前記装置設定情報により前記画像入力装置が設定されたことを前記通信回線を介して前記装置設定情報に含まれるネットワークアドレスを有する他装置に通知することを特徴とする請求項３６に記載の画像形成装置。
【請求項３９】  前記通信手段は前記装置設定情報を電子メールによって送信することを特徴とする請求項３８に記載の画像形成装置。
【請求項４０】  前記通信手段は通信回線を介して接続されている他装置に対して、前記装置設定情報に含まれるネットワークアドレスに従って情報の送信を行う機能を有し、
前記通信手段により受信された前記装置設定情報の選択による設定に従い画像入力動作を行った際に、前記通信手段は、入力された画像を通信回線を介して、前記装置設定情報に含まれるネットワークアドレスを有する他装置に自動的に送信することを特徴とする請求項３６に記載の画像形成装置。
【請求項４１】  装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する請求項２８に記載の画像形成装置と、
を有することを特徴とする画像形成システム。
【請求項４２】  前記入力手段はキーボード又はポインティングデバイス、若しくはその両方が含まれることを特徴とする請求項４１に記載の画像形成システム。
【請求項４３】  前記他装置はコンピュータ端末を含むことを特徴とする請求項４１に記載の画像形成システム。
【手続補正２】
【補正対象書類名】明細書
【補正対象項目名】０００９
【補正方法】変更
【補正の内容】
【０００９】
すなわち、通信装置は、装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を備えることを特徴とする。
【手続補正３】
【補正対象書類名】明細書
【補正対象項目名】００１０
【補正方法】変更
【補正の内容】
【００１０】
また、通信システムは、装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する上記の通信装置と、
を有することを特徴とする。
【手続補正４】
【補正対象書類名】明細書
【補正対象項目名】００１３
【補正方法】変更
【補正の内容】
【００１３】
また、画像形成装置は、一つ若しくは複数の外部画像入力手段と、
通信回線を介して接続されている他装置より送信される、装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を有することを特徴とする。
【手続補正５】
【補正対象書類名】明細書
【補正対象項目名】００１２
【補正方法】変更
【補正の内容】
【００１２】
また、画像入力システムは、装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する上記の画像入力装置と、
を有することを特徴とする。
【手続補正６】
【補正対象書類名】明細書
【補正対象項目名】００１３
【補正方法】変更
【補正の内容】
【００１３】
また、画像形成装置は、一つ若しくは複数の外部画像入力手段と、
前記外部画像入力手段により入力された画像を出力する一つ若しくは複数の外部画像情報出力手段と、
通信回線を介して接続されている他装置より送信される、装置の機能及び操作上の設定を行うための装置設定情報を受信するための通信手段と、
前記通信手段により受信された一つ若しくは複数の装置設定情報を記憶するための記憶手段と、
前記記憶手段に記憶された一つ若しくは複数の装置設定情報を表示するための表示手段と、
前記記憶手段に記憶された一つ若しくは複数の装置設定情報の中から一つの装置設定情報を選択するための選択手段と、
前記選択手段により選択された装置設定情報に基づき装置の機能及び操作上の設定を自動的に行うための設定手段と、
を有することを特徴とする。
【手続補正７】
【補正対象書類名】明細書
【補正対象項目名】００１４
【補正方法】変更
【補正の内容】
【００１４】
また、画像形成システムは、装置設定情報の送信を行うための他装置が該装置設定情報を生成するための生成手段と、
前記生成手段において前記装置設定情報の生成を行う際に、該装置設定情報の生成のために必要な情報の入力を行うための入力手段と、
前記生成手段により生成された前記装置設定情報を記憶するための手段と、
前記生成手段により生成された前記装置設定情報を送信する送信手段と、
前記送信手段により送信された前記装置設定情報を受信して該装置設定情報を設定する上記の画像形成装置と、
を有することを特徴とする。